(57)【要約】【課題】一括切断するすべての光ファイバで良好な切断端面が得られる光ファイバ切断装置の提供。【解決手段】固定クランプ部２と、移動クランプ部３と、これらの間の光ファイバ１Ａ〜１Ｄを一括して切断する切断刃３６を有する切断部４と、切断にあたって光ファイバ１Ａ〜１Ｄに張力を加える張力付与部と、を備えた光ファイバ切断装置１０。固定クランプ部２は、光ファイバ１Ａ〜１Ｄを１本ずつ把持する複数の分割把持部２１〜２４を有する。分割把持部２１〜２４は、固定クランプ部２に対して接近および離間する方向に互いに独立に移動自在である。張力付与部は、分割把持部２１〜２４を互いに独立に付勢することにより光ファイバ１Ａ〜１Ｄに個別に張力を付与可能である。【選択図】図１
2014153477.tif 000002
【特許請求の範囲】
【請求項１】
複数の光ファイバを把持し固定する第１固定部と、前記複数の光ファイバの長さ方向位置が異なる部分を把持し固定する第２固定部と、前記第１固定部と第２固定部との間の前記光ファイバを一括して切断する切断刃を有する切断部と、前記切断部による切断にあたって前記光ファイバに張力を加える張力付与部と、を備え、
前記第２固定部は、前記複数の光ファイバを１本ずつ把持する複数の分割把持部を有し、
前記複数の分割把持部は、前記第１固定部に対して接近および離間する方向に互いに独立に移動自在であり、
前記張力付与部は、前記複数の分割把持部を、前記第１固定部から離間する方向に互いに独立に付勢することにより、前記光ファイバに個別に前記張力を付与可能である光ファイバ切断装置。
【請求項２】
前記張力付与部による張力を調整する張力調整機構をさらに備え、
前記張力調整機構は、前記切断刃により前記光ファイバに初期傷を形成する際に前記光ファイバに初期張力を付与する第１形態と、前記初期傷を形成した前記光ファイバに、前記初期張力より大きい破断張力を付与して破断させる第２形態とを切り替え可能である請求項１に記載の光ファイバ切断装置。
【請求項３】
前記分割把持部は、並列配置された前記複数の光ファイバを、互いに同じ長さ方向位置で把持可能である請求項１または２に記載の光ファイバ切断装置。
【請求項４】
前記第１固定部は、前記光ファイバの被覆部を固定可能であり、
前記第２固定部は、前記光ファイバの被覆部の先端側に口出しされた裸線部を固定可能である請求項１〜３のうちいずれか１項に記載の光ファイバ切断装置。
【請求項５】
複数の光ファイバを、長さ方向が異なる２箇所で把持し固定し、切断刃により前記２箇所の間で一括して切断するにあたって、
前記複数の光ファイバに、互いに独立に、互いに等しい一定張力を付与しつつ、前記切断を行う光ファイバ切断方法。
【請求項６】
前記複数の光ファイバを切断するにあたって、
前記光ファイバに、互いに等しい初期張力を付与しつつ、前記切断刃により前記光ファイバに初期傷を形成する初期傷形成工程と、
前記初期傷を形成した前記光ファイバに、互いに等しく、かつ前記初期張力より大きい破断張力を付与して前記光ファイバを破断させる破断工程と、を含む請求項５に記載の光ファイバ切断方法。
【発明の詳細な説明】
【技術分野】
【０００１】
本発明は、複数の光ファイバを一括切断することができる光ファイバ切断装置および光ファイバ切断方法に関する。
【背景技術】
【０００２】
従来、並列配置された複数の光ファイバに、張力を加えつつ切断刃により傷を与えて切断する光ファイバ切断装置がある（例えば、特許文献１、２参照）。
【先行技術文献】
【特許文献】
【０００３】
【特許文献１】特許第３２６８０８８号公報
【特許文献２】特開平１−２７０００５号公報
【発明の概要】
【発明が解決しようとする課題】
【０００４】
従来の光ファイバ切断装置では、一括切断する複数の光ファイバの切断端面が均一とならず、一部の光ファイバで良好な切断端面が得られないことがあった。
本発明は、前記事情に鑑みてなされたものであり、一括切断するすべての光ファイバで良好な切断端面が得られる光ファイバ切断装置および光ファイバ切断方法を提供することを目的とする。
【課題を解決するための手段】
【０００５】
本願発明者の検討により、一括切断する光ファイバの一部で良好な切断端面が得られないのは、以下に説明するように、各光ファイバに加えられる張力のばらつきが原因となっている可能性があることがわかった。
複数の光ファイバは完全に同時に切断されるとは限らない。複数の光ファイバが１本ずつ時間をおいて切断されるとすると、最初の１本が切断される際には、張力は全ての光ファイバにより分担されるため１本当たりの張力は小さくなるが、最後の１本が切断される際には、全張力がその１本に集中するため、加えられる張力は大きくなる。
この光ファイバごとの張力差を原因として、一部の光ファイバでは良好な切断端面が得られなくなっている可能性がある。これは、本願発明者により初めて見出された知見である。
本発明は、この知見に基づいてなされたもので、以下の構成を採用する。
【０００６】
本発明は、複数の光ファイバを把持し固定する第１固定部と、前記複数の光ファイバの長さ方向位置が異なる部分を把持し固定する第２固定部と、前記第１固定部と第２固定部との間の前記光ファイバを一括して切断する切断刃を有する切断部と、前記切断部による切断にあたって前記光ファイバに張力を加える張力付与部と、を備え、前記第２固定部は、前記複数の光ファイバを１本ずつ把持する複数の分割把持部を有し、前記複数の分割把持部は、前記第１固定部に対して接近および離間する方向に互いに独立に移動自在であり、前記張力付与部は、前記複数の分割把持部を、前記第１固定部から離間する方向に互いに独立に付勢することにより、前記光ファイバに個別に前記張力を付与可能である光ファイバ切断装置を提供する。
本発明は、前記張力付与部による張力を調整する張力調整機構をさらに備え、前記張力調整機構は、前記切断刃により前記光ファイバに初期傷を形成する際に前記光ファイバに初期張力を付与する第１形態と、前記初期傷を形成した前記光ファイバに、前記初期張力より大きい破断張力を付与して破断させる第２形態とを切り替え可能であることが好ましい。
前記分割把持部は、並列配置された前記複数の光ファイバを、互いに同じ長さ方向位置で把持可能であることが好ましい。
前記第１固定部は、前記光ファイバの被覆部を固定可能であり、前記第２固定部は、前記光ファイバの被覆部の先端側に口出しされた裸線部を固定可能であることが好ましい。
【０００７】
本発明は、複数の光ファイバを、長さ方向が異なる２箇所で把持し固定し、切断刃により前記２箇所の間で一括して切断するにあたって、前記複数の光ファイバに、互いに独立に、互いに等しい一定張力を付与しつつ、前記切断を行う光ファイバ切断方法を提供する。
本発明は、前記複数の光ファイバを切断するにあたって、前記光ファイバに、互いに等しい初期張力を付与しつつ、前記切断刃により前記光ファイバに初期傷を形成する初期傷形成工程と、前記初期傷を形成した前記光ファイバに、互いに等しく、かつ前記初期張力より大きい破断張力を付与して前記光ファイバを破断させる破断工程と、を含むことが好ましい。
【発明の効果】
【０００８】
本発明によれば、張力付与部が、複数の分割把持部を互いに独立に付勢することにより、光ファイバに個別に張力を付与可能であるので、分割把持部によって、光ファイバ切断時に、独立的に一定かつ互いに等しい張力を加えることができる。
従って、切断時の張力のばらつきを原因とする光ファイバの切断端面の乱れは生じず、すべての光ファイバにおいて良好な切断端面が得られる。
また、張力調整機構によって、初期張力を付与する第１形態と、初期張力より大きい破断張力を付与して破断させる第２形態とを切り替えられる構成によれば、すでに初期傷が形成された状態で一定の破断張力を加えることができるため、安定的な条件で光ファイバを破断させることができる。
従って、光ファイバの切断端面の乱れを確実に防ぎ、すべての光ファイバにおいて良好な切断端面が得られる。
【図面の簡単な説明】
【０００９】
【図１】本発明の光ファイバ切断装置の第１実施形態を示す斜視図である。
【図２】図１の光ファイバ切断装置の光ファイバ保持溝を示す断面図である。
【図３】図１の光ファイバ切断装置を他の方向から見た斜視図である。
【図４】移動クランプ部の第１〜第４分割把持部を示す斜視図である。
【図５】移動クランプ部の第１〜第４分割把持部を個別に示す斜視図である。
【図６】分割把持部が前方位置にある移動クランプ部を示す平面図である。
【図７】分割把持部が前方位置にある移動クランプ部を示す正面図である。
【図８】分割把持部が後方位置にある移動クランプ部を示す平面図である。
【図９】分割把持部が後方位置にある移動クランプ部を示す正面図である。
【図１０】固定クランプ部と移動クランプ部によって光ファイバを把持する工程を説明する斜視図である。
【図１１】移動クランプ部によって光ファイバに張力を付与する工程を説明する斜視図である。
【図１２】光ファイバを切断する工程を説明する斜視図である。
【図１３】本発明の光ファイバ切断装置の第２実施形態を示す斜視図である。
【図１４】図１３の光ファイバ切断装置を他の方向から見た斜視図である。
【図１５】図１３の光ファイバ切断装置の一部の平面図である。
【図１６】図１３の光ファイバ切断装置の一部の正面図である。
【図１７】移動クランプ部の第１〜第４分割把持部を示す斜視図である。
【図１８】移動クランプ部の第１〜第４分割把持部を個別に示す斜視図である。
【図１９】移動クランプ部の分割把持部の一つを示す正面図である。
【図２０】分割把持部の押さえ部材を示す後面図である。
【図２１】分割把持部の保持板を示す後面図である。
【図２２】分割把持部と張力付与部との関係を説明する斜視図である。
【図２３】固定クランプ部と移動クランプ部によって光ファイバを把持する工程を説明する斜視図である。
【図２４】移動クランプ部によって光ファイバに初期張力を付与する工程を説明する斜視図である。
【図２５】移動クランプ部によって光ファイバに破断張力を付与することによって光ファイバを切断する工程を説明する斜視図である。
【図２６】光ファイバが切断された状態を説明する斜視図である。
【発明を実施するための形態】
【００１０】
（第１実施形態）
図１は、本発明の光ファイバ切断装置の第１実施形態である光ファイバ切断装置１０を示す斜視図である。図２は、光ファイバ切断装置１０のクランプ台部１１に形成された光ファイバ保持溝１１ｂを示す断面図である。図３は、光ファイバ切断装置１０を他の方向から見た斜視図である。
【００１１】
光ファイバ切断装置１０は、複数の光ファイバ１を被覆部１ａで把持し固定する固定クランプ部２（第１固定部）と、被覆部１ｂの先端側に口出しされた裸線部１ａを把持し固定する移動クランプ部３（第２固定部）と、固定クランプ部２と移動クランプ部３との間の光ファイバ１を切断する切断部４と、光ファイバ１に張力を加える張力付与部５とを備えている。
光ファイバ１は、光ファイバ心線、光ファイバ素線等であってよい。
【００１２】
以下の説明においては、図１に示すように、ＸＹＺ直交座標系を設定し、ＸＹＺ直交座標系を参照しつつ各部材の位置関係について説明する場合がある。固定クランプ部２と移動クランプ部３との並び方向をＸ方向といい、水平面内にあってＸ方向に直交する方向をＹ方向といい、Ｘ方向およびＹ方向と直交する高さ方向をＺ方向という。
Ｘ方向とＹ方向は基台部６と平行な方向であり、Ｚ方向は基台部６に対し垂直な方向である。Ｘ方向は装置１０の長さ方向であり、Ｙ方向は装置１０の幅方向である。固定クランプ部２から移動クランプ部３に向かう方向を前方といい、その反対方向を後方という。
【００１３】
図１、図３に示すように、固定クランプ部２は、基台部６上に形成されたクランプ台部１１と、クランプ台部１１に対して開閉自在にヒンジ結合された蓋部１２とを有する。
図２に示すように、クランプ台部１１の上面１１ａには、移動クランプ部３に向かう方向（Ｘ方向）に沿う複数の光ファイバ保持溝１１ｂが形成されている。図示例では、上面１１ａには４つの光ファイバ保持溝１１ｂが幅方向（Ｙ方向）に間隔をおいて形成され、それぞれに光ファイバ１が保持されている。図示例の上面１１ａは水平面である。
上面１１ａには、蓋部１２の磁石部（図示略）が吸着される磁石部１１ｃが形成されている。
【００１４】
図１、図３に示すように、蓋部１２は、クランプ台部１１の側縁部に形成されたヒンジ部１１ｄにヒンジ結合されて、ヒンジ部１１ｄを支点として上面１１ａに接近および離間する方向に回動可能であり、光ファイバ１をクランプ台部１１の上面１１ａに押さえつけて把持し固定できる。
蓋部１２の下面１２ａ（把持面）には、光ファイバ１に対する把持力を高める弾性部材等（ゴムなど）からなる被覆層（図示略）を形成することができる。
【００１５】
移動クランプ部３は、台部１４と、台部１４上に設けられた第１〜第４分割把持部２１〜２４と、分割把持部２１〜２４の後方に設けられた位置決め板部１５と、分割把持部２１〜２４を後方に押圧する押さえ蓋部１６とを備えている。
【００１６】
台部１４は、底板部１７と、底板部１７の前縁部１７ａに立設された前板部１８とを備えている。
図３に示すように、前板部１８には、後述する分割把持部２１〜２４の押圧延出部１９Ａ〜１９Ｄが挿通する挿通孔１８ａが形成されている。挿通孔１８ａは、Ｙ方向（幅方向）に並んで形成されている。図示例では４つの挿通孔１８ａがＹ方向（幅方向）に一定の間隔をおいて形成されている。
前板部１８の前面１８ｂには、後述する押さえ蓋部１６の磁石部（図示略）が吸着される磁石部１８ｃが形成されている。図示例では磁石部１８ｃは挿通孔１８ａの上方位置である４か所に形成されている。
【００１７】
図１、図３に示すように、分割把持部２１〜２４は、台部１４の底板部１７上に並んで設置されている。
図１、図４および図５に示すように、第１分割把持部２１は、４本の光ファイバ１のうち最も手前側の光ファイバ１Ａを把持し固定するものであって、ブロック状の第１把持部本体２５と、第１把持部本体２５に対して開閉自在にヒンジ結合された蓋部２６とを有する。
第１把持部本体２５の上面は光ファイバ１Ａが載置される載置面２５ａであり、載置面２５ａには、蓋部２６下面の磁石部（図示略）が吸着される磁石部２５ｃが形成されている。
第１把持部本体２５には、第１把持部本体２５の前後動をガイドするガイドシャフト３３Ａ、３３Ｂ（図６〜図９参照）が挿通する挿通孔２５ｅ、２５ｅが前後に貫通して形成されている。挿通孔２５ｅは後面２５ｄに開口している。
【００１８】
第１把持部本体２５には、位置決め板部１５の前面１５ａに反力をとって第１把持部本体２５を前方に付勢する第１スプリング３４Ａ（付勢手段）が挿通する挿通孔２５ｆが形成されている。挿通孔２５ｆ内には、第１スプリング３４Ａの前端が当接する段部２５ｇ（図６、図７参照）が形成され、第１スプリング３４Ａの付勢力を第１把持部本体２５に作用させることができる。挿通孔２５ｆは後面２５ｄに開口している。
【００１９】
蓋部２６は、第１把持部本体２５の前縁部に形成されたヒンジ部２５ｂにヒンジ結合されて、ヒンジ部２５ｂを支点として載置面２５ａに接近および離間する方向に回動可能であり、光ファイバ１Ａを載置面２５ａに押さえつけて把持し固定できる。
【００２０】
第２分割把持部２２は、手前から２本目の光ファイバ１Ｂを把持し固定するものであって、ブロック状の第２把持部本体２７と、第２把持部本体２７に対して開閉自在にヒンジ結合された蓋部２８とを有する。
第２把持部本体２７は、基部２７Ａと、基部２７Ａの幅方向（Ｙ方向）中央寄りの端部から後方に延出する延出部２７Ｂとを有する。基部２７Ａは、第１把持部本体２５の前方に隣接して位置している。延出部２７Ｂは第１把持部本体２５に対して幅方向（Ｙ方向）中央側に隣接して位置している。
【００２１】
第２把持部本体２７の上面は、基部２７Ａの上面である基部上面２７Ａａと、延出部２７Ｂの上面である延出部上面２７Ｂａとを有する。
基部上面２７Ａａには、蓋部２８下面の磁石部（図示略）が吸着される磁石部２７ｃが形成されている。
延出部上面２７Ｂａは基部上面２７Ａａから後方に延出する形状であって、光ファイバ１Ｂが載置される載置面２７ａであり、載置面２５ａに対して幅方向（Ｙ方向）に隣接して位置している。
第２把持部本体２７には、第２把持部本体２７の前後動をガイドするガイドシャフト３３Ａ、３３Ｂ（図６〜図９参照）が挿通する挿通孔２７ｅ、２７ｅが前後に貫通して形成されている。挿通孔２７ｅは基部２７Ａの後面２７Ａｄに開口している。
【００２２】
第２把持部本体２７には、位置決め板部１５の前面１５ａに反力をとって第２把持部本体２７を前方に付勢する第２スプリング３４Ｂ（付勢手段）が挿通する挿通孔２７ｆが形成されている。挿通孔２７ｆ内には、第２スプリング３４Ｂの前端が当接する段部２７ｇ（図６、図７参照）が形成され、第２スプリング３４Ｂの付勢力を第２把持部本体２７に作用させることができる。
挿通孔２７ｆは延出部２７Ｂの後面２７Ｂｄに開口している。
【００２３】
蓋部２８は、第２把持部本体２７の前縁部に形成されたヒンジ部２７ｂにヒンジ結合されて、ヒンジ部２７ｂを支点として載置面２７ａに接近および離間する方向に回動可能である。
蓋部２８は、基部２８ａと、基部２８ａの幅方向（Ｙ方向）中央寄りの端部から後方に延出する延出部２８ｂとを有し、延出部２８ｂによって光ファイバ１Ｂを載置面２７ａに押さえつけて把持し固定できる。
【００２４】
第３分割把持部３２は、手前から３本目の光ファイバ１Ｃを把持し固定するものであって、ブロック状の第３把持部本体２９と、第３把持部本体２９に対して開閉自在にヒンジ結合された蓋部３０とを有する。
第３把持部本体２９は、基部２９Ａと、基部２９Ａの幅方向（Ｙ方向）中央寄りの端部から後方に延出する延出部２９Ｂとを有する。基部２９Ａは、第４把持部本体３１の前方に隣接して位置している。延出部２９Ｂは第２把持部本体２７の延出部２７Ｂに対して幅方向（Ｙ方向）に隣接して位置している。
延出部２９Ｂは、第４把持部本体３１に対して幅方向（Ｙ方向）中央側に隣接して位置している。
【００２５】
第３把持部本体２９の上面は、基部２９Ａの上面である基部上面２９Ａａと、延出部２９Ｂの上面である延出部上面２９Ｂａとを有する。
基部上面２９Ａａには、蓋部３０下面の磁石部（図示略）が吸着される磁石部２９ｃが形成されている。
延出部上面２９Ｂａは基部上面２９Ａａから後方に延出する形状であって、光ファイバ１Ｃが載置される載置面２９ａであり、載置面２７ａに対して幅方向（Ｙ方向）に隣接して位置している。
第３把持部本体２９には、第３把持部本体２９の前後動をガイドするガイドシャフト３３Ｃ、３３Ｄ（図６〜図９参照）が挿通する挿通孔２９ｅ、２９ｅが前後に貫通して形成されている。挿通孔２９ｅは基部２９Ａの後面２９Ａｄに開口している。
【００２６】
第３把持部本体２９には、位置決め板部１５の前面１５ａに反力をとって第３把持部本体２９を前方に付勢する第３スプリング３４Ｃ（付勢手段）が挿通する挿通孔２９ｆが形成されている。挿通孔２９ｆ内には、第３スプリング３４Ｃの前端が当接する段部２９ｇ（図６、図７参照）が形成され、第３スプリング３４Ｃの付勢力を第３把持部本体２９に作用させることができる。
挿通孔２９ｆは延出部２９Ｂの後面２９Ｂｄに開口している。
【００２７】
蓋部３０は、第３把持部本体２９の前縁部に形成されたヒンジ部２９ｂにヒンジ結合されて、ヒンジ部２９ｂを支点として載置面２９ａに接近および離間する方向に回動可能である。
蓋部３０は、基部３０ａと、基部３０ａの幅方向（Ｙ方向）中央寄りの端部から後方に延出する延出部３０ｂとを有し、延出部３０ｂによって光ファイバ１Ｃを載置面２９ａに押さえつけて把持し固定できる。
【００２８】
第４分割把持部２４は、手前から４本目の光ファイバ１Ｄを把持し固定するものであって、ブロック状の第４把持部本体３１と、第４把持部本体３１に対して開閉自在にヒンジ結合された蓋部３２とを有する。
第４把持部本体３１の上面は光ファイバ１Ｄが載置される載置面３１ａである。載置面３１ａは、載置面２９ａに対して幅方向（Ｙ方向）に隣接して位置している。載置面３１ａには、蓋部３２下面の磁石部（図示略）が吸着される磁石部３１ｃが形成されている。
把持部本体２５、２７、２９、３１の載置面２５ａ、２７ａ、２９ａ、３１ａは、幅方向（Ｙ方向）に並んでおり、それぞれ光ファイバ１（１Ａ〜１Ｄ）を載置できる。このため、並列配置された光ファイバ１（１Ａ〜１Ｄ）を、互いに同じ長さ方向位置で把持可能である
第４把持部本体３１には、第４把持部本体３１の前後動をガイドするガイドシャフト３３Ｃ、３３Ｄ（図６〜図９参照）が挿通する挿通孔３１ｅ、３１ｅが前後に貫通して形成されている。挿通孔３１ｅは後面３１ｄに開口している。
【００２９】
第４把持部本体３１には、第４スプリング３４Ｄ（付勢手段）が挿通する挿通孔３１ｆが形成されている。挿通孔３１ｆ内には、第４スプリング３４Ｄの前端が当接する段部３１ｇ（図６、図７参照）が形成され、第４スプリング３４Ｄの付勢力を第４把持部本体３１に作用させることができる。挿通孔３１ｆは後面３１ｄに開口している。
【００３０】
蓋部３２は、第４把持部本体３１の前縁部に形成されたヒンジ部３１ｂにヒンジ結合されて、ヒンジ部３１ｂを支点として載置面３１ａに接近および離間する方向に回動可能であり、光ファイバ１Ｄを載置面３１ａに押さえつけて把持し固定できる。
蓋部２６、２８、３０、３２の下面（把持面）には、光ファイバ１に対する把持力を高める弾性部材等（ゴムなど）からなる被覆層（図示略）を形成することができる。
【００３１】
図３、図６〜図９に示すように、第１〜第４把持部本体２５、２７、２９、３１の前面からは、それぞれ第１〜第４押圧延出部１９Ａ〜１９Ｄが前方に向けて突出して形成されている。
【００３２】
図４に示すように、第１〜第４分割把持部２１〜２４は、前後方向、すなわち固定クランプ部２に対して接近および離間する方向に互いに独立に移動自在である。
【００３３】
押さえ蓋部１６は、台部１４の前板部１８の下縁部１８ｄに形成されたヒンジ部１８ｅにヒンジ結合されて、ヒンジ部１８ｅを支点として前面１８ｂに接近および離間する方向に回動可能である。
図１、図３、図８、図９に示すように、押さえ蓋部１６の上縁が前板部１８から離れた開放状態では、把持部本体２５、２７、２９、３１（分割把持部２１〜２４）はスプリング３４Ａ〜３４Ｄの付勢力により前方に位置しているため（この分割把持部２１〜２４の位置を「前方位置」という）、押圧延出部１９Ａ〜１９Ｄは、前板部１８の前面１８ｂから前方に突出している。
図６、図７に示すように、押さえ蓋部１６が後方に向けて回動し、前面１８ｂに近接または当接する閉止状態では、押さえ蓋部１６がスプリング３４Ａ〜３４Ｄの付勢力に抗して押圧延出部１９Ａ〜１９Ｄを後方に押圧し、把持部本体２５、２７、２９、３１を後方移動させる（この分割把持部２１〜２４の位置を「後方位置」という）。
押さえ蓋部１６は、磁石部（図示略）が前面１８ｂの磁石部１８ｃ（図１参照）に吸着するため、閉止状態（分割把持部２１〜２４が後方位置にある状態）を維持できる。
【００３４】
位置決め板部１５の上縁には、それぞれ光ファイバ１（１Ａ〜１Ｄ）を保持する複数の保持凹部１５ｂが形成されている。位置決め板部１５は、基台部６に垂直に、幅方向（Ｙ方向）に沿って形成されている。
移動クランプ部３は、固定クランプ部２に対して離間して基台部６上に形成されている。
【００３５】
図１、図３に示すように、切断部４は、切断刃３６と、切断刃３６を保持する切断刃ホルダ３５とを備えている。
切断刃ホルダ３５は、基台部６上面に、幅方向（Ｙ方向）に沿って形成されたガイドレール３７上を幅方向（Ｙ方向）に沿って移動可能とされたスライダ３８と、その上に形成されたホルダ本体３９とを有する。
ホルダ本体３９は、前後に間隔をおいて形成された一対の保持板３９ａ間に切断刃３６を保持できる。
切断刃３６は、周縁部に刃部３６ａが形成された円板状に形成されている。切断刃３６は、幅方向（Ｙ方向）に沿い、かつ基台部６に垂直な面（ＹＺ平面）に沿う姿勢とされる。
切断刃３６は、切断刃ホルダ３５をガイドレール３７に沿って移動させたときに、光ファイバ１に初期傷を形成できる高さ位置に設置されている。
切断部４は、幅方向（Ｙ方向）に沿って移動させる１つの動作で、複数の光ファイバ１（１Ａ〜１Ｄ）に一括して初期傷を形成することができる。
【００３６】
図６〜図９に示すように、張力付与部５は、第１〜第４把持部本体２５、２７、２９、３１を前方に付勢する第１〜第４スプリング３４Ａ〜３４Ｄを備えている。
第１スプリング３４Ａは、後端において位置決め板部１５の前面１５ａに反力をとって、前端が挿通孔２５ｆの段部２５ｇ（図６、図７参照）に当接して第１把持部本体２５を前方に押圧可能である。
第２スプリング３４Ｂは、後端において位置決め板部１５の前面１５ａに反力をとって、前端が挿通孔２７ｆの段部２７ｇ（図６、図７参照）に当接して第２把持部本体２７を前方に押圧可能である。
第３スプリング３４Ｃは、後端において位置決め板部１５の前面１５ａに反力をとって、前端が挿通孔２９ｆの段部２９ｇ（図６、図７参照）に当接して第３把持部本体２９を前方に押圧可能である。
第４スプリング３４Ｄは、後端において位置決め板部１５の前面１５ａに反力をとって、前端が挿通孔３１ｆの段部３１ｇ（図６、図７参照）に当接して第４把持部本体３１を前方に押圧可能である。
このため、スプリング３４Ａ〜３４Ｄは、それぞれ把持部本体２５、２７、２９、３１（分割把持部２１〜２４）を、前方（固定クランプ部２から離間する方向）に互いに独立に付勢することにより、分割把持部２１〜２４が保持する光ファイバ１Ａ〜１Ｄに対し、独立的に張力を付与することができる。
スプリング３４Ａ〜３４Ｄの機械的特性（バネ定数等）は互いに同じであることが好ましい。
【００３７】
以下、図１０〜図１２を参照して、光ファイバ切断装置１０の使用方法を説明する。
図１０に示すように、押さえ蓋部１６を閉じて、第１〜第４分割把持部２１〜２４を後方位置に配置しておく。
光ファイバ１（１Ａ〜１Ｄ）の被覆部１ｂを、クランプ台部１１の光ファイバ保持溝１１ｂに保持させ、蓋部１２によりクランプ台部１１に押さえつけて把持し固定する。
光ファイバ１（１Ａ〜１Ｄ）の裸線部１ａを位置決め板部１５の保持凹部１５ｂに通し、それぞれ分割把持部２１〜２４の載置面２５ａ、２７ａ、２９ａ、３１ａに載置し、蓋部２６、２８、３０、３２により押さえつけて把持し固定する。
【００３８】
次いで、図１１に示すように、押さえ蓋部１６を開いて、第１〜第４分割把持部２１〜２４に対する押圧を解除する。
これによって、スプリング３４Ａ〜３４Ｄによって分割把持部２１〜２４に与えられる前方への押圧力によって、光ファイバ１（裸線部１ａ）には張力が加えられる。光ファイバ１に加えられる張力は、互いにほぼ同じであることが好ましい。
押さえ蓋部１６による押圧が解除されても、光ファイバ１は固定クランプ部２にも把持されているため、第１〜第４分割把持部２１〜２４の前方移動はごくわずかである。
【００３９】
次いで、図１２に示すように、切断刃ホルダ３５をガイドレール３７に沿って移動させ、光ファイバ１（１Ａ〜１Ｄ）の裸線部１ａに一括して初期傷を形成する。
光ファイバ１（１Ａ〜１Ｄ）に加えられる上述の張力によって、初期傷を起点とするクラックが拡大し、光ファイバ１（１Ａ〜１Ｄ）（裸線部１ａ）は切断される。
この切断工程においては、光ファイバ１（１Ａ〜１Ｄ）は、同時ではなく１本ごとに時間をおいて切断されるが、４本の光ファイバ１（１Ａ〜１Ｄ）が１本ずつ切断される過程で、残った光ファイバ１に張力が集中して１本当たりの張力が高くなることはない。
光ファイバ１Ａ〜１Ｄには、分割把持部２１〜２４によって、独立的に一定かつ互いに等しい張力を加えることができるからである。
このため、切断時の張力のばらつきを原因とする光ファイバ１Ａ〜１Ｄの切断端面の乱れは生じず、すべての光ファイバ１Ａ〜１Ｄにおいて良好な切断端面が得られる。
【００４０】
なお、光ファイバ１の数は、４本に限らず、任意の本数、例えば２本、８本、１６本等とすることができる。
【００４１】
（第２実施形態）
図１３は、本発明の光ファイバ切断装置の第２実施形態である光ファイバ切断装置５０を示す斜視図である。図１４は、光ファイバ切断装置５０を他の方向から見た斜視図である。図１５は、光ファイバ切断装置５０の一部の平面図である。図１６は、光ファイバ切断装置５０の一部の側面図である。
【００４２】
光ファイバ切断装置５０は、複数の光ファイバ１を被覆部１ａで把持し固定する固定クランプ部４２（第１固定部）と、被覆部１ｂの先端側に口出しされた裸線部１ａを把持し固定する移動クランプ部４３（第２固定部）と、固定クランプ部４２と移動クランプ部４３との間の光ファイバ１を切断する切断部４４と、光ファイバ１に張力を加える張力付与部４５と、前記張力を調整する張力調整機構４７と、を備えている。
【００４３】
図１３に示すように、ＸＹＺ直交座標系を設定する。固定クランプ部４２と移動クランプ部４３との並び方向をＸ方向といい、水平面内にあってＸ方向に直交する方向をＹ方向といい、Ｘ方向およびＹ方向と直交する高さ方向をＺ方向という。
Ｘ方向とＹ方向は基台部４６と平行な方向であり、Ｚ方向は基台部４６に対し垂直な方向である。Ｘ方向は装置５０の長さ方向であり、Ｙ方向は装置５０の幅方向である。固定クランプ部４２から移動クランプ部４３に向かう方向を前方といい、その反対方向を後方という。
【００４４】
図１３、図１４に示すように、固定クランプ部４２は、基台部４６上に形成されたクランプ台部５１と、クランプ台部５１に対して開閉自在にヒンジ結合された蓋部５２とを有する。
クランプ台部５１の上面には、Ｘ方向に沿う複数の光ファイバ保持溝（図示略）を形成することができる。光ファイバ保持溝は、図２の光ファイバ保持溝１１ｂと同様としてよい。
クランプ台部５１の上面には、蓋部５２の磁石部（図示略）が吸着される磁石部を形成することができる。
【００４５】
蓋部５２は、クランプ台部５１に形成されたヒンジ部５１ｄにヒンジ結合されて、ヒンジ部５１ｄを支点として回動可能であり、光ファイバ１をクランプ台部５１の上面に押さえつけて把持し固定できる。
蓋部５２の下面（把持面）には、光ファイバ１に対する把持力を高める弾性部材等（ゴムなど）からなる被覆層（図示略）を形成することができる。
【００４６】
移動クランプ部４３は、枠部５４と、枠部５４内に設けられた第１〜第４分割把持部６１〜６４と、分割把持部６１〜６４の後方に設けられた位置決め板部５５と、分割把持部６１〜６４を後方に押圧する押圧部５６と、を備えている。
【００４７】
図１３、図１７〜図１９に示すように、分割把持部６１〜６４は、枠部５４の内部に幅方向（Ｙ方向）に並んで設置されている。
第１分割把持部６１は、４本の光ファイバ１のうち最も手前側の光ファイバ１Ａを把持し固定するものであって、第１把持部本体６５と、第１把持部本体６５に対して回動自在にヒンジ結合された押さえ部材７０とを有する。
第１把持部本体６５は、主部６５ｃと、主部６５ｃの上面から上方に突出して形成された上部突出部６５ｄと、主部６５ｃの下面から下方に突出して形成された下部突出部６５ｅと、を有する。
主部６５ｃには後端から前方に向けて収容凹部６５ｉが形成されている。
【００４８】
図１７〜図１９に示すように、上部突出部６５ｄの上面には、軸受口６５ｆを有する一対のヒンジ板６５ｇと、ヒンジ板６５ｇから後方に離れて形成された一対の保持板６５ｈとが形成されている。
図１８に示すように、一対のヒンジ板６５ｇは、幅方向（Ｙ方向）に間隔をおいて形成されている。一対の保持板６５ｈは、幅方向（Ｙ方向）に間隔をおいて形成されている。
図２１に示すように、保持板６５ｈの内面には、押さえ部材７０の側方突起７０ｄが嵌合する嵌合凹部６５ｈ１が形成されており、側方突起７０ｄが嵌合することによって、押さえ部材７０が、光ファイバ１を載置面６５ａに押さえつけて把持した状態を維持できる。
なお、押さえ部材７０が光ファイバ１を把持する機構、および把持状態を維持する機構については特に限定されず、例えば保持板６５ｈ内面に形成された雌ネジに螺合する雄ネジを有する締結部材によって光ファイバ１を載置面６５ａに押さえつけることもできる。
【００４９】
図１９に示すように、押さえ部材７０は、板状の本体部７０ａと、本体部７０ａの前部両面に突出して形成された軸部７０ｂと、本体部７０ａから略後方に延出する取手部７０ｃとを備えている。
本体部７０ａの側面には、上述の側方突起７０ｄが形成されている。
押さえ部材７０は、ヒンジ板６５ｇの軸受口６５ｆに嵌合した軸部７０ｂを支点として回動し、光ファイバ１Ａを上部突出部６５ｄの上面（載置面６５ａ）に押さえつけて把持し固定できる。
押さえ部材７０の下面（把持面）には、光ファイバ１に対する把持力を高める弾性部材等（ゴムなど）からなる被覆層（図示略）を形成することができる。
【００５０】
以下、既出の構成については同じ符号を付してその説明を省略する。
図１３、図１７〜図１９に示すように、第２分割把持部６２は、２本目の光ファイバ１Ｂを把持し固定するものであって、第２把持部本体６６と、第２把持部本体６６に対して回動自在にヒンジ結合された押さえ部材７０とを有する。第２分割把持部６２は、第１分割把持部６１に対して幅方向（Ｙ方向）に隣接して位置している。
第２把持部本体６６は、収容凹部６６ｉが形成された主部６６ｃと、主部６６ｃの上面から上方に突出して形成された上部突出部６６ｄと、主部６６ｃの下面から下方に突出して形成された下部突出部６６ｅと、を有する。
【００５１】
押さえ部材７０は、軸受口６５ｆに嵌合した軸部７０ｂを支点とした回動によって、光ファイバ１Ｂを上部突出部６６ｄの上面（載置面６６ａ）に押さえつけて把持し固定できる。
【００５２】
第３分割把持部６３は、３本目の光ファイバ１Ｃを把持し固定するものであって、第３把持部本体６７と、第３把持部本体６７に対して回動自在にヒンジ結合された押さえ部材７０とを有する。第３分割把持部６３は、第２分割把持部６２に対して幅方向（Ｙ方向）に隣接して位置している。
第３把持部本体６７は、収容凹部６７ｉが形成された主部６７ｃと、主部６７ｃの上面から上方に突出して形成された上部突出部６７ｄと、主部６７ｃの下面から下方に突出して形成された下部突出部６７ｅと、を有する。
【００５３】
押さえ部材７０は、軸受口６５ｆに嵌合した軸部７０ｂを支点とした回動によって、光ファイバ１Ｃを上部突出部６７ｄの上面（載置面６７ａ）に押さえつけて把持し固定できる。
【００５４】
第４分割把持部６４は、４本目の光ファイバ１Ｄを把持し固定するものであって、第４把持部本体６８と、第４把持部本体６８に対して回動自在にヒンジ結合された押さえ部材７０とを有する。第４分割把持部６４は、第３分割把持部６３に対して幅方向（Ｙ方向）に隣接して位置している。
第４把持部本体６８は、収容凹部６８ｉが形成された主部６８ｃと、主部６８ｃの上面から上方に突出して形成された上部突出部６８ｄと、主部６８ｃの下面から下方に突出して形成された下部突出部６８ｅと、を有する。
【００５５】
押さえ部材７０は、軸受口６５ｆに嵌合した軸部７０ｂを支点とした回動によって、光ファイバ１Ｄを上部突出部６８ｄの上面（載置面６８ａ）に押さえつけて把持し固定できる。
【００５６】
把持部本体６５〜６８の載置面６５ａ〜６８ａは、幅方向（Ｙ方向）に並んでおり、それぞれ光ファイバ１（１Ａ〜１Ｄ）を載置できる。このため、並列配置された光ファイバ１（１Ａ〜１Ｄ）を、互いに同じ長さ方向位置で把持可能である
上部突出部６５ｄ〜６８ｄおよび下部突出部６５ｅ〜６８ｅには、それぞれ分割把持部６１〜６４の前後動をガイドするガイドシャフト（図示略）が挿通する挿通孔６５ｂ〜６８ｂが前後方向に沿って形成されている。
【００５７】
図１７に示すように、第１〜第４分割把持部６１〜６４は、前後方向、すなわち固定クランプ部２に対して接近および離間する方向に互いに独立に移動自在である。
【００５８】
図１３〜図１６に示すように、押圧部５６は、把持部本体６５〜６８の主部６５ｃ〜６８ｃの前面に当接して分割把持部６１〜６４を後方に押圧する環状の本体部７１と、本体部７１の前面に設けられたアーチ部７２とを備えている。
アーチ部７２は、本体部７１の両側部前面から前方に延出する一対の側部７２ａと、側部７２ａの前端部間に架け渡された連結部７２ｂとを有する略Ｕ字形とされている。
側部７２ａには、前後方向に延在する長円状の調整口部７２ｃが形成されている。
【００５９】
押圧部５６は、移動機構５９によって前後方向に移動可能である。
押圧部５６が分割把持部６１〜６４に対して前方に離れた状態では、分割把持部６１〜６４はスプリング７４Ａ〜７４Ｄの付勢力により比較的前方に位置する。
押圧部５６は、移動機構５９によって後方移動させ、スプリング７４Ａ〜７４Ｄの付勢力に抗して分割把持部６１〜６４（把持部本体６５〜６８）を押圧し、後方移動させることができる（図２３参照）。
【００６０】
図１３、図１４に示すように、位置決め板部５５の上縁には、それぞれ光ファイバ１（１Ａ〜１Ｄ）を保持する複数の保持凹部５５ｂが形成されている。
移動クランプ部４３は、固定クランプ部４２に対して離間して基台部４６上に形成されている。
【００６１】
切断部４４は、切断刃７６と、切断刃７６を保持する切断刃ホルダ７５とを備えている。
切断刃ホルダ７５は、幅方向（Ｙ方向）に沿って移動可能とされている。
切断刃７６は、周縁部に刃部が形成された円板状に形成されている。切断刃７６は、幅方向（Ｙ方向）に沿い、かつ基台部４６に垂直な面（ＹＺ平面）に沿う姿勢とされる。
切断刃７６は、切断刃ホルダ７５を幅方向（Ｙ方向）に移動させたときに、光ファイバ１に初期傷を形成できる高さ位置に設置されている。
【００６２】
図１３、図２２、図２３に示すように、張力付与部４５は、第１〜第４把持部本体６５〜６８を前方に付勢する第１〜第４スプリング７４Ａ〜７４Ｄを備えている。
第１スプリング７４Ａは、第１把持部本体６５の収容凹部６５ｉ内に位置し、受け部５７に反力をとって、主部６５ｃを前方に押圧可能である。
第２スプリング７４Ｂは、第２把持部本体６６の収容凹部６６ｉ内に位置し、受け部５７に反力をとって、主部６６ｃを前方に押圧可能である。
第３スプリング７４Ｃは、第３把持部本体６７の収容凹部６７ｉ内に位置し、受け部５７に反力をとって、主部６７ｃを前方に押圧可能である。
第４スプリング７４Ｄは、第４把持部本体６８の収容凹部６８ｉ内に位置し、受け部５７に反力をとって、主部６８ｃを前方に押圧可能である。
このため、スプリング７４Ａ〜７４Ｄは、それぞれ把持部本体６５〜６８（分割把持部６１〜６４）を、前方（固定クランプ部４２から離間する方向）に互いに独立に付勢することにより、分割把持部６１〜６４が保持する光ファイバ１Ａ〜１Ｄに対し、独立的に張力を付与することができる。
スプリング７４Ａ〜７４Ｄの機械的特性（バネ定数等）は互いに同じであることが好ましい。
【００６３】
張力調整機構４７は、スプリング７４Ａ〜７４Ｄの後端が当接する受け部５７と、受け部５７の両端から前方に延出する一対の連絡アーム部５８と、押圧部５６を介して受け部５７を前後方向に移動させる移動機構５９とを備えている。
図１３および図２２に示すように、受け部５７は、幅方向（Ｙ方向）に延在するブロック状に形成され、スプリング７４Ａ〜７４Ｄの後端が当接可能である。スプリング７４Ａ〜７４Ｄには、受け部５７の前面５７ａに形成された挿通孔５７ｂに挿通したガイドシャフト７３Ａ〜７３Ｄが挿通する。
【００６４】
図１３、図１４に示すように、連絡アーム部５８の前端部外面には、外側方（Ｙ方向）に突出する係止凸部５８ａが形成されている。係止凸部５８ａは、アーチ部７２の調整口部７２ｃに、アーチ部７２に対し前後に相対移動可能な状態で挿入される。
【００６５】
移動機構５９は、押圧部５６のアーチ部７２に一端が連結された連結シャフト８１と、連結シャフト８１の他端に設けられて連結シャフト８１を軸方向（前後方向）に移動させる駆動部８２とを有する。
駆動部８２は、基台部４６の突出台４６ａ上に形成された基板８３と、連結シャフト８１の他端に取り付けられた連結部材８４と、基板８３にヒンジ部８３ａでヒンジ結合されたレバー部８５とを有する。
レバー部８５は、ヒンジ部８３ａを支点として回動させることで、連結部材８４を前後に移動させ、これによって連結シャフト８１を前後に移動させることができる。
【００６６】
以下、図２３〜図２６を参照して、光ファイバ切断装置５０の使用方法を説明する。
（初期傷形成工程）
図２３に示すように、移動機構５９のレバー部８５の操作によって押圧部５６を後方移動させて、第１〜第４分割把持部６１〜６４を押圧し、後方位置に配置しておく。
図１３、図１４に示すように、光ファイバ１（１Ａ〜１Ｄ）の被覆部１ｂを、蓋部１２によりクランプ台部１１に押さえつけて把持し固定する。
図２３に示すように、光ファイバ１Ａ〜１Ｄの裸線部１ａを位置決め板部５５の保持凹部５５ｂに通し（図１３、図１４参照）、それぞれ分割把持部６１〜６４の載置面６５ａ〜６８ａに載置し（図１７参照）、押さえ部材７０により押さえつけて把持し固定する（図１９参照）。
【００６７】
次いで、図２４に示すように、移動機構５９のレバー部８５を前方に回動させ、連結部材８４および連結シャフト８１を介して押圧部５６を前方移動させて、第１〜第４分割把持部６１〜６４に対する押圧を解除する。
スプリング７４Ａ〜７４Ｄによって分割把持部６１〜６４に与えられる前方への押圧力によって、光ファイバ１Ａ〜１Ｄ（裸線部１ａ）には、比較的小さい張力Ｔ１（初期張力）が加えられる。張力Ｔ１（初期張力）が加えられるときの光ファイバ切断装置５０の形態を第１形態という。
張力Ｔ１は、初期傷を形成しても光ファイバ１が破断しない程度とされる。光ファイバ１Ａ〜１Ｄに加えられる張力Ｔ１は、互いにほぼ同じであることが好ましい。
【００６８】
この状態で、切断刃ホルダ７５を幅方向（Ｙ方向）（図２４においては紙面に垂直な方向）に移動させ、光ファイバ１（１Ａ〜１Ｄ）の裸線部１ａに初期傷を形成する。この段階では、光ファイバ１は破断しない。
押圧部５６のアーチ部７２は連絡アーム部５８の係止凸部５８ａに対し前後に移動可能であるため、図２４に示す状態では、押圧部５６が分割把持部６１〜６４から離れているが、連絡アーム部５８には前方への押圧力は加えられていない。
【００６９】
（破断工程）
図２５に示すように、移動機構５９のレバー部８５をさらに前方に回動させ、連結部材８４および連結シャフト８１を介して押圧部５６を前方移動させて、調整口部７２ｃの後縁部によって連絡アーム部５８の係止凸部５８ａに前方への押圧力を加え、連絡アーム部５８および受け部５７を前方移動させ、スプリング７４Ａ〜７４Ｄを圧縮させる。
これによって、スプリング７４Ａ〜７４Ｄの弾性反発力は高くなり、分割把持部６１〜６４に加えられる前方への押圧力が高くなることによって、光ファイバ１Ａ〜１Ｄ（裸線部１ａ）には、張力Ｔ１より大きい張力Ｔ２（破断張力）が加えられる。
張力Ｔ２（破断張力）が加えられるときの光ファイバ切断装置５０の形態を第２形態という。
図２６に示すように、張力Ｔ２によって、初期傷を起点とするクラックが拡大し、光ファイバ１（１Ａ〜１Ｄ）（裸線部１ａ）は切断される。
【００７０】
この破断工程においては、光ファイバ１（１Ａ〜１Ｄ）は、分割把持部６１〜６４によって独立的に一定の張力が加えられることに加え、すでに初期傷が形成された状態で一定の破断張力Ｔ２が加えられるため、安定的な条件で光ファイバ１を破断させることができる。
このため、光ファイバ１Ａ〜１Ｄの切断端面の乱れを確実に防ぎ、すべての光ファイバ１Ａ〜１Ｄにおいて良好な切断端面が得られる。
【符号の説明】
【００７１】
１・・・光ファイバ、１ａ・・・裸線部、１ｂ・・・被覆部、２、４２・・・固定クランプ部（第１固定部）、３、４３・・・移動クランプ部（第２固定部）、４、４４・・・切断部、５、４５・・・張力付与部、２１〜２４、６１〜６４・・・分割把持部、３６、７６・・・切断刃、４７・・・張力調整機構、Ｔ１・・・張力（初期張力）、Ｔ２・・・張力（破断張力）。
【図１】
2014153477.tif 000003
【図２】
2014153477.tif 000004
【図３】
2014153477.tif 000005
【図４】
2014153477.tif 000006
【図５】
2014153477.tif 000007
【図６】
2014153477.tif 000008
【図７】
2014153477.tif 000009
【図８】
2014153477.tif 000010
【図９】
2014153477.tif 000011
【図１０】
2014153477.tif 000012
【図１１】
2014153477.tif 000013
【図１２】
2014153477.tif 000014
【図１３】
2014153477.tif 000015
【図１４】
2014153477.tif 000016
【図１５】
2014153477.tif 000017
【図１６】
2014153477.tif 000018
【図１７】
2014153477.tif 000019
【図１８】
2014153477.tif 000020
【図１９】
2014153477.tif 000021
【図２０】
2014153477.tif 000022
【図２１】
2014153477.tif 000023
【図２２】
2014153477.tif 000024
【図２３】
2014153477.tif 000025
【図２４】
2014153477.tif 000026
【図２５】
2014153477.tif 000027
【図２６】
2014153477.tif 000028